(57)【要約】【課題】  利便性および操作性が良い電動車椅子を提供する。【解決手段】  電動車椅子の進行方向を操作する操作部１８の高さを調整する高さ調整部１７は、フレームに支持される第１アーム２０と、第１アームに対して伸縮することにより操作部１８が高さの異なる所定位置でロックされる第２アーム２１を有し、第１アーム２０および第２アーム２１の一方に突起３４が設けられ、他方にガイド３０が設けられ、軸動および回転操作により突起３４がガイド３０内を摺動することにより、操作部１８は一方向の所定高さでロックされる構成とした。【選択図】  図３
2016054961.tif 000002
【特許請求の範囲】
【請求項１】
着座面と背もたれおよびアームレストの骨格が形成されるフレームと、
該フレームに対して設けられ、回動自在な車輪と、
該車輪を駆動するモータと、
前記フレームに支持され、前記アームレストの前方に位置して、前記モータの駆動により前記車輪を回転させる操作を行う操作部と、
該操作部の高さ位置を調整する高さ調整部を備え、
該高さ調整部は、前記フレームに支持される第１アームと、
該第１アームに対して伸縮することにより、前記操作部の高さが異なる所定位置でロックされる第２アームを有し、
前記第１アームと前記第２アームとの一方に突起が設けられと共に、他方にガイドが設けられ、軸動および回転操作により前記突起が前記ガイド内を摺動することにより、前記操作部は一方向の所定高さでロックされる電動車椅子。
【請求項２】
前記ガイドは、前記操作部が設けられる前記第２アームを前記第１アームに対して軸動させる直線ガイドと、該直線ガイドから離間する方向に形成されたロックガイドとを有する請求項１に記載の電動車椅子。
【請求項３】
前記ロックガイドは、周方向に形成された溝、または、略Ｌ状に形成された溝である請求項２に記載の電動車椅子。
【請求項４】
前記ロックガイドは、前記直線ガイドの端部または途中位置に形成されている請求項２または請求項３に記載の電動車椅子。
【請求項５】
前記第２アームは、筒状の外アームと、該外アーム内側に設けられる内アームとを有し、該内アームは分割され、分割された内アームを組合せ、前記ガイドが形成されている請求項１から請求項４のいずれか一項に記載の電動車椅子。
【請求項６】
分割された前記内アームの端部には、樹脂製のブッシュが設けられ、ブッシュ内を前記第１アームが摺動する請求項５に記載の電動車椅子。
【請求項７】
前記フレームに対して円弧状の角度調整孔を有する角度調整部が設けられ、前記第1アームは、前記角度調整孔を締結部材が移動することにより、前記操作部の角度調整が成される請求項１から請求項６のいずれか一項に記載の電動車椅子。
【発明の詳細な説明】
【技術分野】
【０００１】
本発明は、電動車椅子に関するものであり電動車椅子を操作する操作部の高さ調整部に係る。
【背景技術】
【０００２】
従来、電動車椅子は、着座者が操作部の操作レバーを手動で操作することにより、モータを駆動して車輪の向きや速度を制御するものである。従来の電動車椅子は、走行時に操作を行う操作レバーが、着座者が手を置くアームレストよりも前方に突出する構成となっている。
【０００３】
この様な構成では、操作レバーがアームレストよりも前方に位置することになることから、例えば、着座者が食事やデスクワークを行う場合に、操作部がテーブルの天板の端に干渉してしまい、テーブルに所定距離内に近づくことが困難となり得る。
【０００４】
これを解消するため、操作部の高さを調整できるようにした電動車椅子が様々提案されている。特許文献１に記載されている構成では、操作部の支持部のステーの上方に位置決め用の台形状の突起を設け、操作部を支持するステーを軸方向に沿って直線状に形成した複数の係合孔に、ステーに対して上下移動自在で回転爪を設けたステーホルダーを係合孔に係脱させる構成になっている。
【０００５】
また、特許文献２に記載されているものでは、操作部を支持する上パイプとフレームに固定されて、中空の下パイプ内に上パイプが挿入されて、下パイプに対して上パイプの上方への引き出し量を調節し、下パイプの上パイプ側の端部に上パイプの高さ位置を固定するクランプ部を設け、クランプ部においてねじを横方向から締め付ける構成になっている。
【先行技術文献】
【特許文献】
【０００６】
【特許文献１】特開２００３−０７９６７３号公報（図１３）
【特許文献２】特開２０００−０８４００５号公報（図２）
【発明の概要】
【発明が解決しようとする課題】
【０００７】
しかしながら、特許文献１の電動車椅子では操作部の下方に設けられる位置調整用の穴位置を見つけ位置固定するためには、使用者はステーを中立位置に保持した状態で、手探りで穴位置を探る必要があり、体の不自由な着座者にとっては身を曲げての操作が必要になり、操作性が良くない。
【０００８】
また、特許文献２の電動車椅子ではステー上下の中間の連結部のねじを横方向から緩めたり、締めたりする操作が必要となるので、上記と同様に体の不自由な使用者にとっては、その操作が困難という課題が生じる。
【０００９】
そこで、本発明は、従来の課題を解決するため、利便性および操作性が良い電動車椅子を提供することを技術的課題とする。
【課題を解決するための手段】
【００１０】
上記した技術的課題を解決するために講じた技術的手段は、
着座面と背もたれおよびアームレストの骨格が形成されるフレームと、該フレームに対して設けられ、回動自在な車輪と、該車輪を駆動するモータと、前記フレームに支持され、前記アームレストの前方に位置して、前記モータの駆動により前記車輪を回転させるよう操作を行う操作部と、該操作部の高さ位置を調整する高さ調整部を備え、該高さ調整部は、前記フレームに支持される第１アームと、該第１アームに対して伸縮することにより、前記操作部の高さが異なる所定位置でロックされる第２アームを有し、前記第１アームと前記第２アームとの一方に突起が設けられと共に、他方にガイドが設けられ、軸動および回転操作により前記突起が前記ガイド内を摺動することにより、前記操作部は一方向の所定高さでロックされる構成とした。
【００１１】
上記構成において、前記ガイドは、前記操作部が設けられる前記第２アームを前記第１アームに対して軸動させる直線ガイドと、該直線ガイドから離間する方向に形成されたロックガイドとを有する構成とすると良い。
【００１２】
また、前記ロックガイドは、周方向に形成された溝、または、略Ｌ状に形成された溝である構成とすると良い。
【００１３】
また、前記ロックガイドは、前記直線ガイドの端部または途中位置に形成されている構成とすると良い。
【００１４】
また、前記第２アームは、筒状の外アームと、該外アーム内側に設けられる内アームとを有し、該内アームは分割され、分割された内アームを組合せ、前記ガイドが形成されている構成とすると良い。
【００１５】
また、分割された前記内アームの端部には、樹脂製のブッシュが設けられ、ブッシュ内を前記第１アームが摺動する構成とすると良い。
【００１６】
また、前記フレームに対して円弧状の角度調整孔を有する角度調整部が設けられ、前記第1アームは、前記角度調整孔を締結部材が移動することにより、前記操作部の角度調整が成される構成とすると良い。
【発明の効果】
【００１７】
本発明によれば、車椅子の進行方向を操作する操作部の高さ位置を調整する高さ調整部を備えている。高さ調整部は、フレームに支持される第１アームと、第１アームに対して伸縮し、操作部の高さが異なる所定位置で操作部の位置がロックされる第２アームを有する構成とした。高さ調整部は、第１アームと第２アームとの一方に突起が設けられ、他方にガイドが設けられる高さ調整部によって、操作部の高さ調整が簡単な構成で実現することが可能である。例えば、高さ調整部を備える電動車椅子に座った、身体の動きが自由に行えない着座者は、食事する場合や読書等をする場合に、テーブル（又は机等）に近づこうとすると、従来の電動車椅子ではアームレストの前方に操作部が位置するので、テーブルの天板の端に操作部が干渉して当たってしまい、テーブルに対して所定距離より近く寄ることができなかったが、本発明の電動車椅子では、着座者が無理な姿勢に身を捩ったりする必要はなく、着座者はテーブルと干渉するであろう高さにある操作部を持って、予め両アームに支持された操作部を軸動と回転操作することにより、簡単且つ楽な操作にて高さ調整を行うことができる。この場合、軸動に対して周方向に捻って回転操作することにより、突起がガイド内を摺動することにより、操作部は所定高さでロックされ、テーブルと干渉しない高さまで移動させることにより、テーブルに対して従来よりも、より近く寄ることができるので、利便性が向上すると共に操作性の面でも向上するものとなる。
【００１８】
上記構成において、ガイドは、操作部が設けられる前記第２アームを第１アームに対して軸動させる直線ガイドと、直線ガイドから離間する方向に形成されたロックガイドとを単に形成すれば、第１アームと第２アームの一方に突起を設け、突起に対応する位置に直線ガイドとロックガイドを設けるだけで、操作部の高さ位置を調整し、所定位置で簡単且つ安価な構成によりロックさせることができる。
【００１９】
また、ロックガイドは、周方向に形成された溝、または、略Ｌ状に形成された溝にすれば、操作部を周方向に回転操作させるだけでも位置を固定することが可能である。
【００２０】
また、ロックガイドは、直線ガイドの端部または途中位置に形成されれば、直線ガイドに対してロックガイドの位置を操作部の調整したい高さ位置に調整すれば、操作部の位置を高位置および低位置のほか、簡単な構成により高〜低位置間の高さの範囲内で、多段で操作部の位置調整が行える。
【００２１】
また、前記第２アームは、筒状の外アームと、外アーム内側に設けられる内アームとを有し、内アームは分割され、分割された内アームを組合わせ、ガイドが形成されている構成とすると、ガイドが設けられる分割された内アームを外アームにより覆い、外から見えなくすることができるため、見栄えが良くなり、突起が摺動するガイド（直線ガイド、ロックガイド）内に走行時に小石等の異物が混入することによる、操作部の高さ調整時の動作不良等の不具合を簡単な構成で防止することが可能である。
【００２２】
また、分割された内アームの端部には、樹脂製のブッシュが設けられ、ブッシュ内を第１アームが摺動する際に、樹脂製のブッシュにより操作部の高さ調整時に突起がガイド内を摺動し易くすることが可能であり、操作性がより向上する。
【００２３】
また、フレームに対して円弧状の角度調整孔を有する角度調整部が設けられ、第1アームは、角度調整孔を締結部材が移動することにより、操作部の角度調整が締結部材と円弧状の角度調整孔という簡単な構成により、着座者の体型によってフレームに対して操作部の角度を容易且つ簡単な構成により調整することが可能となる。
【図面の簡単な説明】
【００２４】
【図１】本発明における電動車椅子の側面図であり、操作部の位置が通常状態（高位置）にある状態を示している。
【図２】本発明における電動車椅子の側面図であり、操作部の位置がマナー状態（低位置）にある状態を示している。
【図３】図１に示す高さ調整部の構成を説明する斜視図であり、（a）高さ調整部の外アームを外しての内部構成の斜視図であり、（b）発明要所の分解斜視図である。
【図４】本発明における操作部を支持する高さ調整部の角度調整を行う角度調整部の分解斜視図である。
【図５】本発明における高さ調整部の動作説明図であり、（a）操作部が高位置（通常位置）のでの状態、（b）操作部を（a）状態から操作部を上方に引き上げた状態、（c）操作部を（ｂ）状態から半時計方向に回動させて高さ調整を行うロックを解除した状態、（d）操作部を（c）状態から下方に移動させるときの状態を示す。
【図６】本発明における高さ調整部の第２実施形態の構成を示す斜視図である。
【発明を実施するための形態】
【００２５】
本発明の第１実施形態の構成について、図１〜図５を参照して以下に説明する。
（第１実施形態）
電動車椅子（以下、単に車椅子と称す）は、体の自由な動きが利かない人が乗るものである。図１に示すように、車椅子１は、着座面４、背もたれ１１およびアームレスト９の骨格が形成される金属製（例えば、軽量化金属、アルミ、アルミ合金等）のフレーム２に対して、着座者が着座面４上に着座できるように、着座面４および背もたれ１１の表面に布またはナイロン製のシート３が設けられると共に、着座者が着座する着座面４の前方の左右には転舵可能な小さな車輪５が設けられている。また、車椅子１には、着座面４の後方の左右にバッテリー１０からの電源により駆動するモータ８が設けられており、モータ８により駆動可能な車輪６が左右両側に設けられている。
【００２６】
車椅子１を使用時にはシート３の着座面４に使用者（着座者となる）が座り、足をフットレスト７に置いて、右手のアームレスト９の前方に位置し、駆動部を内部に有する操作部１８に設けられているスティック状の操作レバー１９を着座面４に対し前後左右に操作することにより、車椅子１の向きを変えたり、車椅子１の走行時に速度を、モータ８（左右独立のモータ）の駆動力を左右で変えたりすることによって自由に移動が可能となっている。ここでは、操作レバー１９により車椅子１の進行に対する指示を与えるものであるが、操作レバー１９に限定されるものではなく、操作レバー１９に代わって、走行時の車椅子１の速度を変える、若しくは、進行方向を変えられるスイッチ等が用いられても良い。
【００２７】
着座者は電動で車椅子１を動作させたい場合には、着座面４に対して右横に設けられている、先端が球状を成す切替レバーを操作することにより、モータ８と一体で設けられている図示しないクラッチ機構を繋げて電動モードとした状態とすることができる。そして、この状態で操作部１８を右手の指先（例えば、親指、人差し指、中指等）で一方向に二次元的に操作すると、操作部１８の下のハウジング内に設けられている図示していないコントローラが操作部１８からの入力信号を受けて、左右のモータ８の回転を独立に制御することにより、車椅子１は前後左右に走行することができる。
【００２８】
一方、第三者（例えば、介護者）により介護等を行うには、着座面４の横に設けられた図示しないレバーを操作することにより、上記したクラッチ機構を切り離して手動で動作させることが可能な手動モードにすることができる。この状態で、第三者は左右一対のグリップ部５０をつかみ、車椅子１を第三者の手動により動作させることにより移動させることが可能である。また、着座者本人が手動により動作させたい場合には、上記と同様に着座面４の横の図示しないレバーを操作して手動モードにした状態で、車輪６の外側に設けられているリム６１を回転操作することにより、車椅子１を着座者の操作力で移動させることができる。この場合、車椅子１の移動にブレーキを作用させたい場合には操作部１８の下方に設けられたブレーキレバー４１を操作することにより、ブレーキを作動させ（例えば、手前に引く）、車輪６に対してブレーキを作用させたり、それとは反対側にブレーキ４１を操作することにより、車椅子１のブレーキを手動操作により解除することができる。
【００２９】
また、車椅子１の車輪６の後方には後方に突出し端部にローラーの付いた転倒防止バー４５がフレーム２の下方に左右一対となって設けられている。この転倒防止バー４５により、車椅子１は走行中、路面にある段差を乗り越える場合であっても、車椅子１が後方に転倒しない構成となっている。
【００３０】
上記した車椅子１には、着座者が使用時に足を置くフットレスト７と、フレーム２が足元で分岐し、前方の小さな車輪５につながるフレーム２の分岐部１３に、操作部１８が支持され、操作部１８の高さ調整が行える高さ調整部１７が、角度調整部１６を介して、フレーム２の支持点１４に対し角度調整自在な状態で設けられている。
【００３１】
着座者は使用時に車椅子１の操作レバー１９を操作するが、操作部１８がアームレスト９の前方に、図１に示すように、大きく突出した状態となっている。このため、着座者が食事や読書あるいは勉強等をする場合にテーブルや机の前に着く際には、例えばアームレスト９より高くなった調整部１７や、操作部１８の操作レバー１９のが、テーブルの天板の端に干渉してしまう。このため、着座者はテーブルに対して近い状態までテーブルに寄れなくなってしまうので、食事や読書、勉強、デスクワーク等の場合には利便性が良くないものとなってしまう。
そこで、本発明では、高さ調整部１７の伸縮により、操作部１８の上方に位置する操作レバー１９が、アームレスト９と同等または低い高さにまで下げることがでる。さらに操作部１８の高さ固定が簡単な操作により行え、テーブルや机等に干渉しない構成を採用している。図１に示す通常状態（高位置）から、操作部１８の高さ位置を通常状態（高位置）よりも低くした、図２に示すマナー状態（低位置）に変化させることにより、着座者がテーブル等により近づくことができるようにした。
（高さ調整部）
そこで、図３(a),(b)を参照して、高さ調整部１７の構成について詳細に説明する。図３では高さ調整部１７の内部構成を説明するため、実際には第１アーム２０に沿って軸動する第２アーム２１の外側の意匠面には外アーム２２が装着されるが、ここでは理解を容易にするため、外アーム２２を外した状態で内部構成を説明する。
【００３２】
高さ調整部１７は、フレーム２の分岐部１３と操作部１８との間に設けられる。高さ調整部１７は、フレーム２に固定される後述する角度調節部１６、キャップ３３と軸アーム３６を有する第１アーム２０、操作部１８を支持する内アーム２３，２４と外アーム２２とブッシュ２５とを有する第２アーム２１、及び、第２アーム２１と調整ブラケット５５を連結させる連結部材４７を備える。
【００３３】
第１アーム２０は、キャップ３３と軸アーム３６とから構成される。軸アーム３６は、中空円筒状の金属製（アルミ）のパイプであり、図３において上端から所定距離下がった位置にパイプを貫通する取付孔３７を側面に有している。また、下方には角度調整部１６に対して、２段階の高さで取り付けが可能な取付孔３８をパイプ側面に貫通して有する。
【００３４】
キャップ３３は、樹脂製（例えば、ナイロン）の円筒状の栓で、軸アーム３６の一方端に形成された開口に嵌り、開口を塞ぐ栓である。キャップ３３は軸方向の上端から連続して形成される突起３４を周方向に１８０度ずれた位置に２つ有する（図３では１つのみ見える状態）と共に、下方には突起３４に対して９０度だけ周方向にずれた位置にキャップ３３の周方向への回転動作を規制し、軸アーム３６に対して位置決めとなる突起３５を周方向に１８０度ずれた位置に２つ（図３では１つのみ示す）有している。突起３４は軸アーム３６の外径より径方向に突出し、軸アーム３６に組み付けられた状態では端部より長軸方向に延びた直方体形状を呈した長軸対称となり、後述するガイド３０内で摺動する。キャップ３３の下方には径方向に突き出た円形の位置決め用の突起３５を有しており、軸アーム３６の開口となって上端に圧入される。圧入されたキャップ３３の突起３５が軸アーム３６に形成された取付孔３７と周方向において２箇所で嵌合することで、軸アーム３６とキャップ３３は周方向に回転不能となり一体で固定され、軸アーム３６に対してキャップ３３の周方向の移動は拘束される。
【００３５】
第２アーム２１は外アーム２２と、内アーム２３，２４と、ブッシュ２５で構成される。外アーム２２は中空円筒状のパイプであり、上端から所定距離だけ下方にパイプを貫通した取付孔２８を側面に有している。また、内アーム２３，２４は同じ形状を呈し、周方向に配置される。内アーム２３，２４は、例えば、円筒パイプを軸方向で２つに分割して端部加工を施し、断面が扇状を呈する。一方の端部（図３では上端から所定距離だけ下方に下がった位置）には取付孔５３を側面に有し、外アーム２２の取付孔２８と外アーム２２と内アーム２３，２４とを一体で連結する連結部４７の取付孔４８の位置を位置決めして重ね合わせて、締結部材の一例としてねじ４６（六角ボルトとナット）で径方向から締結される。図３に示すように、内アーム２３，２４は下端より長軸方向に延びる長方形の切り欠き５２を有しており、切り欠き５２の短辺はキャップ３３の突起３４の短辺と同じまたは略同じ長さで形成されている。さらに、内アーム２３，２４を突起３４が摺動可能な状態で挟み込むようにして組み合わせたとき、側面で形成される間隙は直線ガイド３１となり、内アーム２３，２４の軸方向の端部により形成されるガイド３１とガイド３１に平行に形成された切り欠き５２との間を、突起３４が摺動できるように、略Ｌ字状でロックガイド３２が形成されている。
【００３６】
ブッシュ２５はナイロン樹脂の中空円筒状を呈し、図３（ｂ）に示すように、大径となる円環部２７と、円環部２７から小径となり軸方向に立設したボス部３９とを有する。ブッシュ２５は軸アーム３６が一方（図３の下方）から円環部２７の中に挿通され、外アーム２２の下端に対してキャップ状となった円環部２７を圧入し、外アーム２２に対してブッシュ２５を取り付ける。
【００３７】
ブッシュ２５のボス部の上端には周方向に伸びた長方形の切り欠き２６を長軸対称に２つ（図３（ｂ）では１つのみ図示）有し、切り欠き２６の短辺とキャップ３３の突起３４の長辺は同じ若しくは略同じ大きさである。また、切り欠き２６の短辺と内アーム２３，２４の切り欠き５２の長辺が内アーム２３，２４を周方向に組み付けして連続するように接合させることで、Ｌ字型のロックガイド３２と直線ガイド３１は連続して形成される。ロックガイド３２と直線ガイド３１で構成されるガイド３０をキャップ３３の突起３４がガタつきを抑えて摺動することで、操作部１８の高さ位置の調節が行える。
【００３８】
一方、上方に位置する連結部材４７は内アーム２３，２４および外アーム２２を一体にするものであり、軸方向の中央には径方向に突出した円周状のフランジ４４を有する。また、連結部材４７の下方には取付孔４８が径方向に貫通して設けられており、上方には調整ブラケット５５に形成される突起５６が取り付けられる大径の取付孔４９が取付孔４８とフランジ４４を挟んで反対側に貫通して形成されている。連結部材４７はフランジ４４より下方では円柱形であり、上方では直方体となった二面幅形状を有する。取付孔４８は周方向に配置した内アーム２３，２４に対して軸方向からはめ込んで、内アーム２３，２４の外径に外アーム２２を径方向から位置決めした状態で重ね合わせ、締結部材となるねじ４６（六角ボルトとナット）で一体化して締結することで、連結部材４７と第２アーム２１（外アーム２２、内アーム２３，２４、ブッシュ２５）は、連結部材４７およびブッシュ２５により一体で連結される。
【００３９】
連結部材４７の取付孔４９には、調整ブラケット５５の突起５６が挿入され嵌合することで、調整ブラケット５５と連結部４７と第２アーム２１（外アーム２２、内アーム２３，２４、ブッシュ２５）は連結される。
【００４０】
調整ブラケット５５は、長方形のプレート５８と、プレート５８から垂直方向に立設して二面幅から連絡して略三角形状を呈する取付部５９が一体で形成されている。取付部５９は径方向に突出した突起５６の内部に形成されたねじ孔に図示しない締結部材（ボルト、ねじ等）を図３（ｂ）に示す紙面奥から手前側に螺合させることにより調整ブラケット５５の水平角度を調整し、連結部材４７と固定されている。
【００４１】
この様に、プレート５８と操作部１８の裏側の平面部とを２本の締結部材（ボルト、ねじ等）５７で締結することで、操作部１８と調整ブラケット５５は連結され、最終的に操作レバー１９を備える操作部１８と調整ブラケット５５、連結部材４７、第２アーム２１と第２アーム２０と角度調整部１６は連結される。
【００４２】
次に、図４を参照して、角度調整部１６の構成について説明する。
（角度調整機構）
角度調整部１６は、フレーム２の分岐部１３と第１アーム２０を構成する軸アーム３６との間に設けられて、高さ調整部１７のフレーム２に対する角度を着座者の体型にあわせて調整するものである。
【００４３】
角度調整部１６はフレーム２に対して所定位置で固定する締付部材６２と固定ブラケット６４とブラケット６９を備える。
【００４４】
締付部材６２は中央にＶ字溝６６を有する金具で、Ｖ字溝６６の両側にフランジ状の取付部が形成されている。Ｖ字溝６６と後述する円盤状を呈する固定ブラケット６４でフレーム２を挟み、締結部材６３（ボルト、ねじ、ナット等）で締結することで、締め付け部６６と固定ブラケット６４はフレーム２に対して固定される。
【００４５】
固定ブラケット６４は円盤状の面を有し、締付部材６２に対応して固定される金具が円盤状の面の背面に一体で設けられている。固定ブラケット６４は、Ｖ字溝と締付部材６２のＶ字溝６６でフレーム２を挟み、ねじ６３で締結することによりフレーム２に固定される。また、円盤面には円盤中心にピン６０を有し、図４に示すブラケット６９の裏面に形成された図示しない嵌合孔と嵌合する。また取付孔６５を２箇所板厚方向に有しており、取付孔６５に対してブラケット６９を位置決めして、ブラケット６９側から２本の締結部材７１（ボルト、ピン、ナット等）で締結することにより、ブラケット６９はフレーム２に固定された固定ブラケット６４に対して位置決めされた状態で取り付けが可能である。
【００４６】
ブラケット６９は固定ブラケット６４と固定される中央が円形状を呈し、角度調整孔７０と、円形中心にブラケット６４のピン６０と嵌合する嵌合孔（図４の裏面に形成）と、中央から径方向に突出した筒状の突出部７５を有し、突出部７５の側面には取付孔７２が形成されている。角度調整孔７０は角度調整部１６の支点１４を中心として、周方向に１８０度ずれた位置に形成された円弧状の長孔で、中心対称で形成され、裏面に形成される図示しない嵌合孔と固定ブラケット６４のピン６０を嵌合させる。長孔形状の角度調整孔７０の範囲内の任意位置で固定ブラケット６４に対して高さ調整部１７の角度を角度調整し、さらに固定ブラケット６４の取付孔６５に対して、２箇所を締結部材（ボルト、ピン、ナット等）７１で締結することにより、フレーム２に対して高さ調整部１７の傾斜角度を固定することができる。
【００４７】
一方、ブラケット６９の突出部７５は先端より所定距離だけ下方に取付孔７２を側面に有し、取付孔７２に対して第１アーム２０の２段階調整可能な取付孔３８の一方に位置合わせした状態で、径方向から締結部材となるねじ７３とナット７４により、所定の角度位置で締結することにより、第１アーム２０と角度調整部１７が固定され、着座者の好みの角度に操作部１８の位置をもってくることが可能である。
（高さ調整の動作）
次に、図５を参照して、操作部１８の高さ調整部１７の操作により、操作部１８の高さ調整を行う動作について、以下に説明する。実際には内アーム２３，２４の外側に筒状の外アーム２２が設けられ、内アーム２３，２４のガイド構造は見えなるが、ここでは、理解を容易にするため、第２アーム２１の外アーム２２を外した状態で説明する。
【００４８】
図５（ａ）は、操作部１８の高さが、図１に示す通常状態（高位置）にある状態を示している。(ａ)状態では、操作部１８の高さ保持が行える最も高い位置にあり、第１アーム２０を構成する軸アーム３６の上端に圧入されたキャップ３３の突起３４は、２つの内アーム２３，２４により構成されるガイド３０の軸方向の下端に形成される略Ｌ字状のロックガイド３２の終端（切り欠き５２の上端）に位置している。これによって、操作部１８は通常使用時には高位置に保持されている。
【００４９】
次に、操作部１８の高さを低くしたい場合、（ａ）の状態から（ｂ）に示すように、着座者はアームレスト前に位置する操作部１８を長軸方向（矢印方向）に一度引き上げることで、フレーム２に固定される固定側の第１アーム２０に対して、第２アーム２０は上方に引き上げられる。それに伴って、第２アーム側の下方に形成されたロックガイド３２は上方に持ち上げられ、第１アーム側に設けられた突起３４は略Ｌ字状のロックガイド３２の下端へ移動する。
【００５０】
（ｂ）の状態になった後、さらに、（ｃ）に示すように、操作部１８を周方向（反時計方向）に、着座者は手で回動操作させることで、操作部１８と一体となった第２アーム２０は同方向に回動する。それに伴い、ロックガイド３２も同方向に回動し、固定側の突起３４はロックガイド３２に沿って摺動し、直線ガイド３１の下端へ移動して、所定高さで操作部１８の高さ位置を固定または維持するロックが解除される。
【００５１】
その後、（ｃ）の状態から、今度は（ｄ）に示すように、着座者は操作部１８を軸方向に押し下げることで、操作部１８と一体となった第２アーム２０も下方に移動する。それに伴い、直線ガイド３１も下方に移動し、突起３４は直線ガイド３１に沿ってガタツキなく摺動し、操作部１８の高さが高さ調整部１７によってアーム長さが収縮するので、操作部１８の高さが図２に示す如く低くなるマナー状態となる。この状態では、突起３４は直線状のガイド３０の移動可能な最上位置まで到達し、キャップ３３の第２アーム側端部と連結部材４７の下方円筒形の端面が当接するようにするか、または、ブッシュ２５の第１アーム側の端面６７と角度調整部１６のブラケット６９に形成された突出部７５の軸方向の端面６８とが当接することにより、図１に示す通常状態の高位置に対して、図２に示す低い低位置での操作部１８の保持が行える。
（第２実施形態）
次に、図６を参照して、第２実施形態について説明する。以下の説明では、第１実施形態を示す図３の構成を基礎とした変形例である。以下、図３との相違点について主に説明し、第１実施形態と同じ構成については、同じ番号を付与し、その説明を省略する。
【００５２】
第１実施形態での内アーム２３，２４の構成が、第２実施形態では内アーム８３、８４に対応する。図６の特徴は、第１実施形態で説明した位置固定を行うロックガイド３２を多段で複数個所（一例として、３箇所）設けた点で異なっている。ロックガイド３２を直線ガイド３１に対して下段位置、中段位置、さらには上段位置に設けることにより、操作部１８の高さを着座者の操作によって、所定位置、例えば、低位置、中位置、高位置の３つの状態の一つから、それ以外の状態にしたい場合には、前述した図５に示す操作と同様な操作を着座者が行うことにより、操作レバーの高さを任意に希望する高さ位置にすることが可能となる。
【００５３】
第２アーム２１は中空円筒状のパイプから成る外アーム２２と、外アーム２２の中に収納される内アーム８３，８４と、外アーム２２が圧入されるブッシュ２５で構成される。内アーム８３，８４は断面が扇形で長軸方向に伸びた構造であり、内アーム８３、８４は同じ形状をしている。内アーム８３，８４は下端に長軸方向に延びる切り欠き５２を下段位置に有している。
【００５４】
また、中段位置には周方向に延び、連続して軸方向に伸びる切り欠きで形成されたロックガイド８１を有する。
【００５５】
同様に、内アーム８３，８４の上端にはロックガイド８１と同形のロックガイド８２を上段位置に有する。
【００５６】
内アーム８３，８４を周方向に配置し、突起３４を摺動可能な状態で挟み込むようにして組み合わせたとき、内アーム８３，８４の側面で形成される間隙は直線ガイド３１となる。
【００５７】
ブッシュ２５の切り欠き２６の短辺と内アーム８３，８４の切り欠き５２の長辺が周方向で連続するような構成を採用することで、下段位置、中段位置および上段位置に、Ｌ字型のロックガイド３２，８１，８２を有したガイド８０は形成される。ガイド８０を第１アーム２０の突起３４が摺動し、ロックガイド３２,８１,８２の所定の位置で操作１８を軸動または回動操作することで、操作部１８はロックガイド３２、８１、８２に対応する高さ位置で、操作レバーをロックすることが可能となる。
【００５８】
本実施形態では、第２アーム側に外アーム２２および内アーム２３、２４を備えた構成について説明したが、これに限定されるものではなく、第１アーム２０に対して第２アーム２１のアーム長が可変となり、軸方向に形成される直線ガイド３１に対してロックガイドが略Ｌ字状に限らず、Ｖ字、Ｊ字状となって、離間する方向に設けられても同様な効果が得られる。
【００５９】
また、第２アーム２１は外と内アームの２重構造のものを説明したが、これに限定されるものではなく、内アーム２３，２４の機能を外アーム２２のみに持たせることも可能である。
【００６０】
更には、内アーム２３，２４は複数分割しなくても１本の筒状のパイプに直接ロックガイドを少なくとも１つ以上備えたガイドを切削等により形成しても良い。
【００６１】
本発明によれば、第１アーム２０と第２アーム２１との一方に突起が設けられ、他方にガイドが設けられる高さ調整部１７によって、操作部１８の高さ調整が簡単な構成で実現することが可能である。身体の動きが自由に行えない着座者は、食事する場合や読書等をする場合に、着座者が無理な姿勢に身を捩ったりする必要はなく、着座者はテーブルと干渉するであろう高さにある操作部を持って、予め両アームに支持された操作部を軸動と回転操作することにより、簡単且つ楽な操作にて高さ調整を行うことができ、テーブルに対して、より近く寄ることができるので、利便性が良くなり操作性も向上する。
【００６２】
突起３４に対応する位置に直線ガイド３１とロックガイド３２を設けるだけで、操作部１８の高さ位置を調整し、所定位置で簡単且つ安価な構成によりロックさせることができる。周方向に形成された溝、または、略Ｌ状に形成された溝でロックが可能となる
また、ロックガイドは、直線ガイド３１の端部または途中位置にロックガイド３２、８１、８２が形成されれば、操作部の位置を高位置および低位置のほか、簡単な構成により高〜低位置間の高さの範囲内で、多段で操作部１８の位置調整が行える。
【００６３】
ガイド３０が設けられる内アーム２３，２４を外アーム２２により外から見えなくすれば見栄えが良くなり、ガイド３０に小石等の異物が混入せず、操作部１８の高さ調整時の動作不良等の不具合を簡単な構成で防止することができる。
【００６４】
樹脂製のブッシュ２５により操作部１８の高さ調整時に突起３４がガイド内を摺動し易くすることが可能であり、操作性がより向上する。
【００６５】
フレーム２に対して角度調整部１６が設けられ、操作部１８の角度調整が締結部材（ボルト、ねじ、ナット等）７１と円弧状の角度調整孔７０という簡単な構成により、操作部１８の角度を容易且つ簡単な構成により調整することができる。
【符号の説明】
【００６６】
１：  電動車椅子
２：  フレーム
６：  車輪
４：  着座面
８：  モータ
９：  アームレスト
１１：  背もたれ
１６：  角度調整部
１７：  高さ調整部
１８：  操作部
１９：  操作レバー
２０：  第１アーム
２１：  第２アーム
２２：  外アーム（第２アーム）
２３：  内アーム（第２アーム）
２４：  内アーム（第２アーム）
２５：  ブッシュ（第２アーム）
３０：  ガイド
３１：  直線ガイド
３２，８１，８２：  ロックガイド
３３：  キャップ（第１アーム）
３４：  突起
３６：  軸アーム（第１アーム）
７０：  角度調整孔
７１，７３：  締結部材
【図１】
2016054961.tif 000003
【図２】
2016054961.tif 000004
【図３】
2016054961.tif 000005
【図４】
2016054961.tif 000006
【図５】
2016054961.tif 000007
【図６】
2016054961.tif 000008